(57)【要約】【課題】着用初期の温感作用が高く且つ着用後に温感付与剤に接触していた肌の接触部位に刺激を与えにくい温感物品を提供すること。【解決手段】肌当接面８ａ及び非肌当接面８ｂを有し且つ布帛から構成される液透過性シート７と、液不透過性シート９と、液透過性シート７の非肌当接面８ｂに隣接し且つ布帛から構成される溶液保持シート１３とを備え、厚さ方向Ｔを有する温感物品１であって、温感物品１が、液透過性シート７及び溶液保持シート１３に配置された、ＴＲＰチャネルを活性化する温感付与剤と、溶媒とを含む温感付与溶液３３を含む温感付与領域３１を備え、温感付与領域３１において、液透過性シート７に存在する温感付与溶液３３の溶液密度が、溶液保持シート１３に存在する温感付与溶液３３の溶液密度よりも高いことを特徴とする温感物品１。【選択図】図３
2019068945.tif 000002
【特許請求の範囲】
【請求項１】
肌当接面及び非肌当接面を有し且つ布帛から構成される液透過性シートと、液不透過性シートと、前記液透過性シートの前記非肌当接面に隣接し且つ布帛から構成される溶液保持シートとを備え、厚さ方向を有する温感物品であって、
前記温感物品が、前記液透過性シート及び前記溶液保持シートに配置された、ＴＲＰチャネルを活性化する温感付与剤と、溶媒とを含む温感付与溶液を含む温感付与領域を備え、
前記温感付与領域において、前記液透過性シートに存在する前記温感付与溶液の溶液密度が、前記溶液保持シートに存在する前記温感付与溶液の溶液密度よりも高い、
ことを特徴とする、前記温感物品。
【請求項２】
前記温感付与領域において、前記液透過性シートを構成する前記布帛の繊維密度が、前記溶液保持シートを構成する前記布帛の繊維密度よりも高い、請求項１に記載の温感物品。
【請求項３】
前記溶媒が親油性溶媒であり、前記液透過性シートを構成する前記布帛の親油性度が、前記溶液保持シートを構成する前記布帛の親油性度よりも高い、請求項１又は２に記載の温感物品。
【請求項４】
前記溶媒が親水性溶媒であり、前記液透過性シートを構成する前記布帛の親水性度が、前記溶液保持シートを構成する前記布帛の親水性度よりも高い、請求項１又は２に記載の温感物品。
【請求項５】
前記温感物品が、前記温感付与領域と前記厚さ方向に重複する範囲に、前記溶液保持シートの、前記液透過性シートと反対側の面に隣接し且つ前記温感付与領域を構成する、布帛から構成される補助溶液保持シートをさらに備え、前記温感付与領域において、前記補助溶液保持シートに存在する前記温感付与溶液の溶液密度が、前記溶液保持シートに存在する前記温感付与溶液の溶液密度よりも低い、請求項１又は２に記載の温感物品。
【請求項６】
前記温感付与領域において、前記補助溶液保持シートを構成する前記布帛の繊維密度が、前記溶液保持シートを構成する前記布帛の繊維密度よりも低い、請求項５に記載の温感物品。
【請求項７】
前記溶媒が親油性溶媒であり、前記液透過性シートを構成する前記布帛の親油性度が、前記溶液保持シートを構成する前記布帛の親油性度よりも高く、前記補助溶液保持シートを構成する前記布帛の親油性度が、前記溶液保持シートを構成する前記布帛の親油性度よりも低い、請求項５又は６に記載の温感物品。
【請求項８】
前記溶媒が親水性溶媒であり、前記液透過性シートを構成する前記布帛の親水性度が、前記溶液保持シートを構成する前記布帛の親水性度よりも高く、前記補助溶液保持シートを構成する前記布帛の親水性度が、前記溶液保持シートを構成する前記布帛の親水性度よりも低い、請求項５又は６に記載の温感物品。
【請求項９】
前記液透過性シートの、３ｇ／ｃｍ2荷重時の厚さに対する、３０ｇ／ｃｍ2の荷重時の厚さの比率である厚さ保持率が、前記溶液保持シートの前記厚さ保持率よりも小さい、請求項１〜８のいずれか一項に記載の温感物品。
【請求項１０】
前記液透過性シートが、７０％以下の、前記厚さ保持率を有する、請求項９に記載の温感物品。
【請求項１１】
前記温感物品の前記厚さ方向において、前記温感物品の前記温感付与領域と重複する領域の厚さが、前記温感物品の前記温感付与領域と重複しない領域の厚さよりも厚い、請求項１〜１０のいずれか一項に記載の温感物品。
【請求項１２】
前記温感付与剤が、ＴＲＰＶ１レセプターに対するアゴニストである高温感付与剤か、又はＴＲＰＭ８レセプターに対するアゴニストである低温感付与剤である、請求項１〜１１のいずれか一項に記載の温感物品。
【請求項１３】
前記温感物品が、生理用ナプキン、パンティーライナー、使い捨ておむつ及びショーツ型生理用ナプキンからなる群から選択される、請求項１〜１２のいずれか一項に記載の温感物品。
【請求項１４】
前記温感物品が発熱剤を含まない、請求項１〜１３のいずれか一項に記載の温感物品。
【発明の詳細な説明】
【技術分野】
【０００１】
本開示は、温感物品に関する。
【背景技術】
【０００２】
着用者に、体温よりも高い高温感又は体温よりも低い低温感を付与する温感物品が知られている。特に、高温感を付与する温感物品では、低温やけどを防止する観点から、物理的に発熱する発熱剤を含むものよりも、着用者の肌に作用し、着用者の肌の温度を上げるように作用するものを含むことが好ましい。
【０００３】
特許文献１には、快適性を向上させることを目的とした、着用者によって知覚される外部条件を作り出す必要なしに着用者に知覚を伝えることのできる剤を含む、吸収性物品、好ましくは衛生使い捨て吸収性物品が記載されている。
また、特許文献１の段落［００４０］には、好ましい剤として、加温剤が挙げられ、そして当該加温剤は、物品の着用者の身体面上における温度変化を作り出す必要なしに、温度受容器（すなわち、温熱）を刺激することができることが記載されている。
【先行技術文献】
【特許文献】
【０００４】
【特許文献１】特表２００４−５２８０９０号公報
【発明の概要】
【発明が解決しようとする課題】
【０００５】
本願発明者は、特許文献１に記載されるような、温感付与剤（加温剤）を含む温感物品では、着用初期の温感作用が低いことと、着用者が、着用後、すなわち、温感物品を取り外した後において、所定の時間、温感付与剤に接触していた肌の接触部位が、入浴時等に刺激を覚えやすいことを確認した。
従って、本開示は、着用初期の温感作用が高く且つ着用後に温感付与剤に接触していた肌の接触部位に刺激を与えにくい温感物品を提供することを目的とする。
【課題を解決するための手段】
【０００６】
本開示者らは、肌当接面及び非肌当接面を有し且つ布帛から構成される液透過性シートと、液不透過性シートと、上記液透過性シートの上記非肌当接面に隣接し且つ布帛から構成される溶液保持シートとを備え、厚さ方向を有する温感物品であって、上記温感物品が、上記液透過性シート及び上記溶液保持シートに配置された、ＴＲＰチャネルを活性化する温感付与剤と、溶媒とを含む温感付与溶液を含む温感付与領域を備え、上記温感付与領域において、上記液透過性シートに存在する上記温感付与溶液の溶液密度が、上記溶液保持シートに存在する上記温感付与溶液の溶液密度よりも高いことを特徴とする温感物品を見出した。
【発明の効果】
【０００７】
本開示の温感物品は、着用者が温感作用を制御することができる。
【図面の簡単な説明】
【０００８】
【図１】図１は、第１実施形態に従う生理用ナプキン１の平面図である。
【図２】図２は、生理用ナプキン１の分解斜視図である。
【図３】図３は、図１のＩＩＩ−ＩＩＩ断面における、生理用ナプキン１の断面図である。
【図４】図４は、生理用ナプキン１の着用状態を示す図である。
【図５】図５は、第２実施形態に従うショーツ型生理用ナプキン１０１を説明するための図である。
【図６】図６は、第３実施形態に従う使い捨ておむつ２０１を説明するための図である。
【図７】図７は、第４実施形態に従う温感シート３０１が個包装された温感シートの個包装体３０３の斜視図である。
【図８】図８は、温感シート３０１の斜視図である。
【図９】図９は、温感シート３０１の分解斜視図である。
【図１０】図１０は、図８のＸ−Ｘ断面における、温感シート３０１の断面図である。
【図１１】図１１は、温感シート３０１の着用状態を示す図である。
【発明を実施するための形態】
【０００９】
具体的には、本開示は以下の態様に関する。
［態様１］
肌当接面及び非肌当接面を有し且つ布帛から構成される液透過性シートと、液不透過性シートと、上記液透過性シートの上記非肌当接面に隣接し且つ布帛から構成される溶液保持シートとを備え、厚さ方向を有する温感物品であって、
上記温感物品が、上記液透過性シート及び上記溶液保持シートに配置された、ＴＲＰチャネルを活性化する温感付与剤と、溶媒とを含む温感付与溶液を含む温感付与領域を備え、
上記温感付与領域において、上記液透過性シートに存在する上記温感付与溶液の溶液密度が、上記溶液保持シートに存在する上記温感付与溶液の溶液密度よりも高い、
ことを特徴とする、上記温感物品。
【００１０】
本願発明者は、温感付与剤を含む温感物品では、温感付与剤の特性により、着用初期の温感作用が弱いことを見出した。特に、温感付与溶液の溶媒が親油性溶媒の場合には、温感付与剤が、着用者の肌に浸透しにくいため、着用初期の温感作用が弱い傾向にある。
また、本願発明者は、温感付与剤が高温感を付与する高温感付与剤である温感物品では、着用初期の高温感感知時間における高温感作用が弱いことにより、着用者が痒みを覚えやすいことを見出した。
【００１１】
さらに、本願発明者は、着用者が、着用後、すなわち、温感物品を取り外しても、所定の時間、着用者が温感（高温感又は低温感）を覚え続けやすく、着用者が、入浴時等に、温感付与剤と接触していた肌の接触部位に刺激を覚えやすいことを見出した。
さらに、本願発明者は、着用初期に強い温感（高温感又は低温感）を付与すると、着用中期及び着用後期に弱い温感（高温感又は低温感）を付与した場合にあっても、着用者が適度な温感（高温感又は低温感）を覚えやすいことを見出した。
【００１２】
上記温感物品では、温感付与領域において、液透過性シートに存在する温感付与溶液の溶液密度が、溶液保持シートに存在する温感付与溶液の溶液密度よりも高い。従って、着用初期に、液透過性シートに存在する、相対的に高密度の温感付与溶液が、着用初期に、温感物品が着用者に強い温感を付与し、着用者が、着用初期に、適度な温感を覚えることができる。また、温感付与剤が高温感を付与する高温感付与剤である温感物品では、着用初期に痒みを覚えにくい。
【００１３】
また、着用中期及び着用後期において、液透過性シートに存在する温感付与溶液の量が減少すると、溶液保持シートに存在する、相対的に低密度の温感付与溶液が、液透過性シートに移動し、次いで、着用者に弱い温感を付与するが、着用者は、適度な温感を覚えることができる一方で、着用者は、着用後、温感物品を取り外した場合に、温感付与剤に接触していた肌の接触部位に刺激を覚えにくい。
【００１４】
［態様２］
上記温感付与領域において、上記液透過性シートを構成する上記布帛の繊維密度が、上記溶液保持シートを構成する上記布帛の繊維密度よりも高い、態様１に記載の温感物品。
【００１５】
上記温感物品では、液透過性シートを構成する布帛の繊維密度が、溶液保持シートを構成する布帛の繊維密度よりも高いので、温感物品が、着用前又は着用中に加圧等を受けて、温感付与溶液が一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた、肌の接触部位に刺激を覚えにくくなる。
【００１６】
［態様３］
上記溶媒が親油性溶媒であり、上記液透過性シートを構成する上記布帛の親油性度が、上記溶液保持シートを構成する上記布帛の親油性度よりも高い、態様１又は２に記載の温感物品。
【００１７】
上記温感物品では、上記溶媒が親油性溶媒であるとともに、液透過性シートを構成する布帛の親油性度が、溶液保持シートを構成する上記布帛の親油性度よりも高いので、温感物品が、着用前又は着用中に加圧等を受けて、温感付与溶液が一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた肌の接触部位に刺激を覚えにくくなる。
【００１８】
［態様４］
上記溶媒が親水性溶媒であり、上記液透過性シートを構成する上記布帛の親水性度が、上記溶液保持シートを構成する上記布帛の親水性度よりも高い、態様１又は２に記載の温感物品。
【００１９】
上記温感物品では、上記溶媒が親水性溶媒であるとともに、液透過性シートを構成する布帛の親水性度が、溶液保持シートを構成する上記布帛の親水性度よりも高いので、温感物品が、着用前又は着用中に加圧等を受けて、温感付与溶液が一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた肌の接触部位に刺激を覚えにくくなる。
【００２０】
［態様５］
上記温感物品が、上記温感付与領域と上記厚さ方向に重複する範囲に、上記溶液保持シートの、上記液透過性シートと反対側の面に隣接し且つ上記温感付与領域を構成する、布帛から構成される補助溶液保持シートをさらに備え、上記温感付与領域において、上記補助溶液保持シートに存在する上記温感付与溶液の溶液密度が、上記溶液保持シートに存在する上記温感付与溶液の溶液密度よりも低い、態様１又は２に記載の温感物品。
【００２１】
上記温感物品では、温感付与領域において、液透過性シートに存在する温感付与溶液の溶液密度が、溶液保持シートに存在する温感付与溶液の溶液密度よりも高い。従って、着用初期に、液透過性シートに存在する、相対的に高密度の温感付与溶液が、着用初期に、温感物品が着用者に強い温感を付与し、着用者が、着用初期に、適切な温感を覚えることができる。また、温感付与剤が高温感を付与する高温感付与剤である温感物品では、着用初期に痒みを覚えにくい。
【００２２】
また、着用中期において、液透過性シートに存在する温感付与溶液の量が減少すると、溶液保持シートに存在する、相対的に中密度の温感付与溶液が、液透過性シートに移動し、次いで、着用者に中程度の温感を付与するが、着用者は、適度な温感を覚えることができる一方で、着用後、温感物品を取り外した場合に、着用者が、温感付与剤に接触していた肌の接触部位に刺激を覚えにくい。
【００２３】
次いで、液透過性シートに存在する、相対的に中密度の温感付与溶液が着用者の肌に移動し、消費されると、補助溶液保持シートに存在する、相対的に低密度の温感付与溶液が、溶液保持シートを経由して、液透過性シートに移動し、着用後期において、液透過性シートから、着用者の肌に、相対的に低密度の温感付与溶液が移動し、着用者の肌に弱い温感作用を付与することができる。
なお、着用者の肌が一度温感を覚えると、中程度から弱い温感作用が付与された場合であっても、着用者は、適度な温感を覚え続けることができる。
【００２４】
次いで、着用者が、温感物品の使用を終え、温感物品を取り外し、入浴等を行った場合に、着用後期に、相対的に低密度の温感付与溶液による温感作用を受けていたため、着用者が、お湯等により、温感付与剤に接触していた肌の接触部位に刺激を覚えにくい。
【００２５】
［態様６］
上記温感付与領域において、上記補助溶液保持シートを構成する上記布帛の繊維密度が、上記溶液保持シートを構成する上記布帛の繊維密度よりも低い、態様５に記載の温感物品。
【００２６】
上記温感物品では、液透過性シートに存在する温感付与溶液の溶液密度が、溶液保持シートに存在する温感付与溶液の溶液密度よりも高く、補助溶液保持シートを構成する布帛の繊維密度が、溶液保持シートを構成する布帛の繊維密度よりも低いので、温感物品が、着用前又は着用中に加圧等を受けて、温感付与溶液が一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた肌の接触部位に刺激を覚えにくくなる。
【００２７】
［態様７］
上記溶媒が親油性溶媒であり、上記液透過性シートを構成する上記布帛の親油性度が、上記溶液保持シートを構成する上記布帛の親油性度よりも高く、上記補助溶液保持シートを構成する上記布帛の親油性度が、上記溶液保持シートを構成する上記布帛の親油性度よりも低い、態様５又は６に記載の温感物品。
【００２８】
上記温感物品では、温感付与溶液を構成する溶媒が親油性溶媒であるとともに、液透過性シートを構成する布帛の親油性度が、溶液保持シートを構成する布帛の親油性度よりも高く、補助溶液保持シートを構成する布帛の親油性度が、溶液保持シートを構成する布帛の親油性度よりも低いので、温感物品が、着用前又は着用中に加圧等を受けて、温感付与溶液が一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた肌の接触部位に刺激を覚えにくくなる。
【００２９】
［態様８］
上記溶媒が親水性溶媒であり、上記液透過性シートを構成する上記布帛の親水性度が、上記溶液保持シートを構成する上記布帛の親水性度よりも高く、上記補助溶液保持シートを構成する上記布帛の親水性度が、上記溶液保持シートを構成する上記布帛の親水性度よりも低い、態様５又は６に記載の温感物品。
【００３０】
上記温感物品では、温感付与溶液を構成する溶媒が親水性溶媒であるとともに、液透過性シートを構成する布帛の親水性度が、溶液保持シートを構成する布帛の親水性度よりも高く、補助溶液保持シートを構成する布帛の親水性度が、溶液保持シートを構成する布帛の親水性度よりも低いので、温感物品が、着用前又は着用中に加圧等を受けて、温感付与溶液が一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた肌の接触部位に刺激を覚えにくくなる。
【００３１】
［態様９］
上記液透過性シートの、３ｇ／ｃｍ2荷重時の厚さに対する、３０ｇ／ｃｍ2の荷重時の厚さの比率である厚さ保持率が、上記溶液保持シートの上記厚さ保持率よりも小さい、態様１〜８のいずれか一項に記載の温感物品。
【００３２】
上記温感物品では、液透過性シートの厚さ保持率が、溶液保持シートの厚さ保持率よりも小さい、すなわち、液透過性シートが、溶液保持シートよりも潰れやすいため、温感物品に体圧等が加わった際に、液透過性シートの厚さが薄くなりやすく、液透過性シートが保持する温感付与溶液が、着用者の肌に移動しやすくなる。
【００３３】
［態様１０］
上記液透過性シートが、７０％以下の、上記厚さ保持率を有する、態様９に記載の温感物品。
【００３４】
上記温感物品では、液透過性シートが、所定の厚さ保持率を有するため、温感物品に体圧等が加わることにより液透過性シートの厚さが薄くなりやすく、液透過性シートが保持する温感付与溶液が、着用者の肌に移動しやすくなる。
【００３５】
［態様１１］
上記温感物品の上記厚さ方向において、上記温感物品の上記温感付与領域と重複する領域の厚さが、上記温感物品の上記温感付与領域と重複しない領域の厚さよりも厚い、態様１〜１０のいずれか一項に記載の温感物品。
【００３６】
上記温感物品では、温感物品の、温感付与領域と重複する領域の厚さが、温感物品の温感付与領域と重複しない領域の厚さよりも厚いので、着圧等により、温感物品の、温感付与領域と重複する領域が押し込まれやすくなり、ひいては温感付与領域から温感付与溶液が放出されやすくなる。
【００３７】
［態様１２］
上記温感付与剤が、ＴＲＰＶ１レセプターに対するアゴニストである高温感付与剤か、又はＴＲＰＭ８レセプターに対するアゴニストである低温感付与剤である、態様１〜１１のいずれか一項に記載の温感物品。
【００３８】
上記温感物品では、温感付与剤が、所定の高温感付与剤か、又は所定の低温感付与剤から構成されるため、着用者に強い温感（高温感、低温感）を付与することができる。
【００３９】
［態様１３］
上記温感物品が、生理用ナプキン、パンティーライナー、使い捨ておむつ及びショーツ型生理用ナプキンからなる群から選択される、態様１〜１２のいずれか一項に記載の温感物品。
【００４０】
上記温感物品は、生理用ナプキン、パンティーライナー、使い捨ておむつ及びショーツ型生理用ナプキンからなる群から選択されるため、吸収性能を発揮するとともに、着用者に温感を付与することができる。
【００４１】
［態様１４］
上記温感物品が発熱剤を含まない、態様１〜１３のいずれか一項に記載の温感物品。
【００４２】
上記温感物品は、発熱剤を含まないため、温感物品を長時間使用する場合であっても、着用者に低温やけどを生じさせにくい。
【００４３】
［定義］
・「温感」
本明細書では、「温感」には、体温（３６℃）より高い温度を感じる「高温感」と、体温（３６℃）より低い温度を感じる「低温感」とが含まれる。
・「温感付与剤」
本明細書では、「温感付与剤」には、上述の高温感を付与する「高温感付与剤」と、上述の低温感を付与する「低温感付与剤」とが含まれる。
【００４４】
・「温感付与溶液」
本明細書では、「温感付与溶液」には、上述の高温感付与剤を含む「高温感付与溶液」と、上述の低温感付与剤を含む「低温感付与溶液」とが含まれる。
・「温感付与領域」
本明細書では、「温感付与領域」には、上述の高温感付与溶液を含む「高温感付与領域」と、上述の低温感付与溶液を含む「低温感付与領域」とが含まれる。
【００４５】
・「温感感知時間」
本明細書では、「温感感知時間」には、高温感付与剤により、所望の高温感を覚える「高温感感知時間」と、低温感付与剤により、所望の低温感を覚える「低温感感知時間」とが含まれる。
【００４６】
・「温感付与溶液の所定の溶液密度関係」
本明細書では、「温感付与領域において、液透過性シートに存在する温感付与溶液の溶液密度が、溶液保持シートに存在する温感付与溶液の溶液密度よりも高いこと」を、『温感付与溶液の所定の溶液密度関係』と称する。
また、本明細書では、温感物品が補助溶液保持シートをさらに備える場合には、「温感付与領域において、液透過性シートに存在する温感付与溶液の溶液密度が、溶液保持シートに存在する温感付与溶液の溶液密度よりも高く、そして補助溶液保持シートを構成する布帛に存在する温感付与溶液の溶液密度が、溶液保持シートを構成する布帛に存在する温感付与溶液の溶液密度よりも低いこと」を、『温感付与溶液の所定の溶液密度関係』と称する。
なお、温感付与溶液の所定の溶液密度関係には、高温感付与剤及び高温感付与溶液に関する「高温感付与溶液の所定の溶液密度関係」と、低温感付与剤及び低温感付与溶液に関する「低温感付与溶液の所定の溶液密度関係」とが含まれる。
【００４７】
本開示の温感物品について、以下、詳細に説明する。
図１〜図４は、本開示の実施形態の１つ（以下、「第１実施形態」と称する）に従う温感物品としての生理用ナプキン１を説明するための図である。なお、以下、「第１実施形態に従う温感物品としての生理用ナプキン」を、単に『第１実施形態に従う生理用ナプキン』と称する場合がある。具体的には、図１は、第１実施形態に従う生理用ナプキン１の平面図である。図２は、第１実施形態に従う生理用ナプキン１の分解斜視図である。図３は、図１のＩＩＩ−ＩＩＩ断面における、生理用ナプキン１の断面図である。図４は、生理用ナプキン１の着用状態を示す図である。
【００４８】
第１実施形態に従う生理用ナプキン１は、お互いに直交する長手方向Ｌ、幅方向Ｗ及び厚さ方向Ｔを有し、吸収本体３と、吸収本体３より長手方向Ｌの前方に配置された温感本体５とを備える。生理用ナプキン１は、吸収本体３において、着用時に着用者の肌に当接し且つ不織布から構成される液透過性シート７と、着用時に着衣１９に当接する液不透過性シート９と、液透過性シート７及び液不透過性シート９の間に配置された吸収体１１とを備える。
【００４９】
生理用ナプキン１は、温感本体５において、着用時に着用者の肌に当接し且つ不織布から構成される液透過性シート７と、着用時に着衣１９に当接する液不透過性シート９とを備える。また、生理用ナプキン１は、温感本体５において、液透過性シート７及び液不透過性シート９の間に配置された、不織布から構成される溶液保持シート１３と、形状保持部材１５とを備える。液透過性シート７は、着用時に着用者の肌に当接する肌当接面８ａと、肌当接面８ａの反対側の非肌当接面８ｂとを備える。溶液保持シート１３は、液透過性シート７の非肌当接面８ｂに隣接している。形状保持部材１５は、溶液保持シート１３よりも液不透過性シート９側に配置されている。
【００５０】
また、生理用ナプキン１は、温感本体５の、溶液保持シート１３と厚さ方向Ｔに重複する範囲に、高温感付与領域３１を備える。高温感付与領域３１では、ＴＲＰチャネルを活性化する高温感付与剤と、親油性溶媒とを含む高温感付与溶液３３が、液透過性シート７及び溶液保持シート１３に配置されており、高温感付与領域３１において、液透過性シート７に存在する高温感付与溶液３３の溶液密度が、溶液保持シート１３に存在する高温感付与溶液３３の溶液密度よりも高い。高温感付与領域３１は、高温感付与溶液３３を、液透過性シート７及び溶液保持シート１３のそれぞれに塗工することにより形成されている。
なお、図面上では、高温感付与溶液３３の溶液密度の高さの関係は、ドットの密度の高低にて表されている。
【００５１】
なお、吸収本体３における液透過性シート７と、温感本体５における液透過性シート７は、所定の親油性度を付与しうる第１親油化剤で処理された、親油性を有する不織布からなる一体のシートから構成されている。また、吸収本体３における液不透過性シート９と、温感本体５における液不透過性シート９も、一体のシートから構成されている。また、吸収本体３における吸収体１１と、温感本体５における形状保持部材１５とは、それらの一部が、重複部１７において、厚さ方向Ｔに一部重複しており、重複部１７において、吸収体１１が、形状保持部材１５よりも液透過性シート７に近い位置に配置されている。
【００５２】
生理用ナプキン１は、吸収本体３及び温感本体５の両方において、生理用ナプキン１を着用者の着衣１９に固定するための粘着部２１を備える。粘着部２１の一方の面は、液不透過性シート９に固定され、そして他方の面は、剥離性が付与された、包装シート２９の内面に仮固定されている。
【００５３】
生理用ナプキン１は、未使用状態では、包装シート２９とともに、長手方向Ｌに延びる、長手方向第１折軸Ｆ1及び長手方向第２折軸Ｆ2と、幅方向Ｗに延びる、幅方向第１折軸Ｆ3、幅方向第２折軸Ｆ4及び幅方向第３折軸Ｆ5を基軸として折畳まれ、生理用ナプキン１の個包装体（図示せず）を形成している。なお、幅方向第１折軸Ｆ3、幅方向第２折軸Ｆ4、及び幅方向第３折軸Ｆ5は、それぞれ、生理用ナプキン１の前方、中央及び後方に配置されている。
【００５４】
また、幅方向第１折軸Ｆ3は、生理用ナプキン１及び包装シート２９の展開状態において、溶液保持シート１３と、厚さ方向Ｔに重複するように配置されている。長手方向第１折軸Ｆ1及び長手方向第２折軸Ｆ2は、生理用ナプキン１及び包装シート２９の展開状態において、吸収体１１と厚さ方向Ｔに重複しないが、溶液保持シート１３と厚さ方向Ｔに重複するように配置されている。
【００５５】
生理用ナプキン１の個包装体は、生理用ナプキン１及び包装シート２９を、長手方向第１折軸Ｆ1及び長手方向第２折軸Ｆ2を基軸として、生理用ナプキン１を内側にして幅方向Ｗに折畳み、次いで、幅方向第１折軸Ｆ3及び幅方向第３折軸Ｆ5を基軸として、生理用ナプキン１を内側にして長手方向Ｌに折り畳み、次いで、幅方向第２折軸Ｆ4を基軸として、生理用ナプキン１を内側にして長手方向Ｌに折畳むことにより形成されている。
【００５６】
また、生理用ナプキン１は、生理用ナプキン１を着衣１９に固定するための一対のフラップ部２３、シール部２５、エンボス部２７等を備えるが、当技術分野で公知のものであるため、説明を省略する。
【００５７】
生理用ナプキン１は、吸収本体３及び温感本体５を、吸収本体３の吸収体１１の排泄口当接域（図示せず）を着用者の排泄口当接域に当接するように着衣１９に配置した際に、温感本体５、特に溶液保持シート１３が、着用者の下腹部に対応する位置に配置されるように有している。換言すると、吸収本体３の吸収体１１の排泄口当接域（図示せず）と、温感本体５の溶液保持シート１３との距離は、着用者の排泄口と、下腹部との距離（肌面上の距離）とに概ね等しくなるように構成されている。
吸収本体３は、通常の生理用ナプキンと同様の形状を有している。
【００５８】
温感本体５において、溶液保持シート１３は、液透過性シート７で用いられた第１親油化剤よりも低い親油性度を付与しうる第２親油化剤で処理された、親油性を有する不織布から構成されている。すなわち、温感本体５において、液透過性シート７を構成する不織布の親油性度は、溶液保持シート１３を構成する不織布の親油性度よりも高い。
また、図３に示されるように、液透過性シート７を構成する不織布の繊維密度は、溶液保持シート１３を構成する不織布の繊維密度よりも高い。
【００５９】
さらに、溶液保持シート１３の、幅方向Ｗの長さは、吸収体１１の、幅方向Ｗの長さよりも長く、高温感付与溶液３３が、吸収体１１よりも、幅方向Ｗに広い領域に配置されるように構成されている。
【００６０】
使用者が、生理用ナプキン１を着衣１９に固定し、生理用ナプキン１を着用すると、高温感付与領域３１（溶液保持シート１３）に含まれる高温感付与溶液３３が、着用者の肌に接触し、高温感付与剤が接触している、着用者の肌の接触部位のＴＲＰチャネルを効率よく活性化し、着用者の下腹部に、体温（３６℃）より高い温度である高温感を効率よく付与することができる。
【００６１】
着用者の下腹部に高温感を付与することにより、高温感付与剤に接していた着用者の下腹部の肌の接触部位のＴＲＰチャネルが活性化される結果、交感神経系を介して、上記接触部位から熱が生じ、着用者の肌の接触部位の温度を上昇させることが期待され、ひいては着用者の子宮に近い部位を温め、着用者の生理痛を緩和することが期待される。
また、着用者の子宮に近い部位を温めることにより、着用者の月経前症候群（Ｐｒｅｍｅｎｓｔｒｕａｌ  Ｓｙｎｄｒｏｍｅ）、冷え性、更年期障害等を軽減することが期待される。
【００６２】
本願発明者は、高温感付与剤を含む温感物品では、高温感感知時間が、発熱剤（例えば、鉄粉）を含む発熱物品と比較して長くなる傾向にあり、当該高温感感知時間の間に、着用者が痒みを覚えやすいことを見出した。また、本願発明者は、高温感付与剤を含む温感物品では、発熱剤（例えば、鉄粉）を含む発熱物品と比較して、着用者の肌の状態（例えば、着用者の肌の乾燥度等）によって、高温感の覚え方に差があることを見出した。例えば、着用者の肌が水分で湿潤している場合には、着用者の肌が乾燥している場合と比較して、着用者の肌の主に角質層が膨潤した状態を保持しやすく、高温感付与溶液３３が、主に角化細胞（ケラチノサイト）に存在するＴＲＰチャネルに到達しやすくなるため、高温感を覚えやすい（高温感感知時間が短い）。
【００６３】
第１実施形態に従う生理用ナプキン１では、高温感付与領域３１において、液透過性シート７に存在する高温感付与溶液３３の溶液密度が、溶液保持シート１３に存在する高温感付与溶液３３の溶液密度よりも高い。
【００６４】
従って、着用者が、生理用ナプキン１を着用すると、着用初期において、液透過性シート７に存在する、相対的に高密度の高温感付与溶液３３が、着用者の肌に移動し、着用者の肌に強い高温感作用を付与することができるので、高温感感知時間を短くすることができる。また、高温感感知時間を短くすることができる結果、着用者が、高温感感知時間において痒みを覚えにくい。
【００６５】
また、生理用ナプキン１では、液透過性シート７に存在する、相対的に高密度の高温感付与溶液３３が着用者の肌に移動し、消費されると、溶液保持シート１３に存在する、相対的に低密度の高温感付与溶液３３が液透過性シート７に移動し、着用中期及び着用後期において、液透過性シート７から、着用者の肌に、相対的に低密度の高温感付与溶液３３が移動し、着用者の肌に弱い高温感作用を付与することができるが、着用者の肌が一度高温感を覚えると、弱い高温感作用が付与された場合であっても、着用者は、適度な高温感を覚え続けることができる。
【００６６】
次いで、着用者が、生理用ナプキン１の着用を終え、入浴等を行った場合に、着用後期に、相対的に低密度の高温感付与溶液３３による温感作用を受けていたため、着用者が、お湯等により、高温感付与剤に接触していた肌の接触部位に刺激を覚えにくい。
【００６７】
また、生理用ナプキン１では、（ｉ）液透過性シート７を構成する不織布の繊維密度が、溶液保持シート１３を構成する不織布の繊維密度よりも高く、そして（ｉｉ）高温感付与溶液３３を構成する溶媒が親油性溶媒であり、液透過性シート７を構成する不織布の親油性度は、溶液保持シート１３を構成する不織布の親油性度よりも高い。
【００６８】
従って、液透過性シート７及び溶液保持シート１３の繊維密度差及び親油性度差により、高温感付与領域３１において、例えば、高温感付与溶液３３を、液透過性シート７及び溶液保持シート１３のいずれか一方に塗工した場合、又は液透過性シート７及び溶液保持シート１３の両方に均一量で塗工した場合であっても、高温感付与溶液３３の所定の溶液密度関係を形成しやすい。また、生理用ナプキン１が、搬送時の振動、圧力等を受け、高温感付与溶液３３が一時的に移動した場合、着用時の体圧等を受け、高温感付与溶液が一時的に移動した場合であっても、高温感付与溶液３３が元の位置に戻りやすく、高温感付与溶液３３の所定の溶液密度関係を形成しやすくなる。
【００６９】
図５は、本開示の別の実施形態（以下、「第２実施形態」と称する）に従う温感物品としてのショーツ型生理用ナプキン１０１を説明するための図であり、着用状態を示す図である。なお、以下、「第２実施形態に従う温感物品としてのショーツ型生理用ナプキン」を、単に『第２実施形態に従うショーツ型生理用ナプキン』と称する場合がある。
【００７０】
第２実施形態に従うショーツ型生理用ナプキン１０１は、ショーツ部１０３と、ショーツ部１０３の内面に配置された吸収性物品部１０５とから構成されている。吸収性物品部１０５は、吸収本体１０７と、温感本体１０９とを備える。吸収本体１０７は、着用時に着用者の肌に当接し且つ不織布から構成される液透過性シート（図示せず）と、ショーツ部１０３に当接する液不透過性シート（図示せず）と、それらの間に配置された吸収体１１１とを備える。温感本体１０９は、着用時に着用者の肌に当接する液透過性シート（図示せず）と、ショーツ部１０３に当接する液不透過性シート（図示せず）とを備える。また、温感本体１０９は、液透過性シート（図示せず）及び液不透過性シート（図示せず）の間に配置された、不織布から構成される溶液保持シート１１３と、形状保持部材１１５とを備える。液透過性シート（図示せず）は、着用時に着用者の肌に当接する肌当接面（図示せず）と、肌当接面の反対側の非肌当接面（図示せず）とを備え、溶液保持シート１１３は、液透過性シートの非肌当接面（図示せず）に隣接している。
【００７１】
なお、吸収本体１０７における液透過性シート（図示せず）と、温感本体１０９における液透過性シート（図示せず）は、所定の親油性度を付与しうる第１親油化剤で処理された、親油性を有する不織布からなる一体のシートから構成されている。また、吸収本体１０７における液不透過性シート（図示せず）と、温感本体１０９における液不透過性シート（図示せず）も、一体のシートから構成されている。
また、温感本体１０９の溶液保持シート１１３は、液透過性シート（図示せず）で用いられたものと同一の第１親油化剤で処理された親油性を有する不織布から構成されている。
【００７２】
液透過性シート（図示せず）を構成する不織布の繊維密度は、溶液保持シート１１３を構成する不織布の繊維密度よりも高い。
また、上述のとおり、液透過性シート（図示せず）と、溶液保持シート１１３とは、同一の第１親油化剤により親油性化されており、液透過性シート（図示せず）と、溶液保持シート１１３とは、同一の親油性度を有する。
【００７３】
また、ショーツ型生理用ナプキン１０１は、温感本体１０９の、溶液保持シート１１３と厚さ方向Ｔに重複する範囲に、高温感付与領域１１７を備える。高温感付与領域１１７では、ＴＲＰチャネルを活性化する高温感付与剤と、親油性溶媒とを含む高温感付与溶液が、液透過性シート（図示せず）及び溶液保持シート１１３に配置されており、高温感付与領域１１７において、液透過性シート（図示せず）に存在する高温感付与溶液（図示せず）の溶液密度が、溶液保持シート１１３に存在する高温感付与溶液（図示せず）の溶液密度よりも高い。
なお、高温感付与領域１１７は、高温感付与溶液を、液透過性シート（図示せず）及び溶液保持シート１１３のそれぞれに塗工することにより形成された。
【００７４】
着用者が、ショーツ型生理用ナプキン１０１を着用すると、着用初期において、液透過性シート（図示せず）に存在する、相対的に高密度の高温感付与溶液が、着用者の肌に強い高温感作用を付与することができるので、高温感感知時間を短くすることができる。また、高温感感知時間を短くすることができる結果、着用者が、高温感感知時間において痒みを覚えにくい。
【００７５】
また、ショーツ型生理用ナプキン１０１では、液透過性シート（図示せず）に存在する、相対的に高密度の高温感付与溶液が着用者の肌に移行し、消費されると、溶液保持シート１１３に存在する、相対的に低密度の高温感付与溶液が液透過性シート（図示せず）に移動し、着用中期及び着用後期において、液透過性シート（図示せず）から、着用者の肌に、相対的に低密度の高温感付与溶液が提供されるが、着用者の肌が一度高温感を覚えると、相対的に低密度の高温感付与溶液が提供された場合であっても、着用者は、適度な高温感を覚え続けることができる。
【００７６】
次いで、着用者が、ショーツ型生理用ナプキン１０１の着用を終え、入浴等を行った場合に、着用後期に、相対的に低密度の高温感付与溶液による温感作用を受けていたため、着用者が、お湯等により、高温感付与剤に接触していた肌の接触部位に刺激を覚えにくい。
【００７７】
また、ショーツ型生理用ナプキン１０１では、液透過性シート（図示せず）を構成する不織布の繊維密度が、溶液保持シート１１３を構成する不織布の繊維密度よりも高い。
従って、液透過性シート（図示せず）及び溶液保持シート１１３の繊維密度差により、高温感付与領域１１７において、例えば、高温感付与溶液を、液透過性シート（図示せず）及び溶液保持シート１１３のいずれか一方に塗工した場合、又は液透過性シート（図示せず）及び溶液保持シート１１３の両方に均一量で塗工した場合であっても、高温感付与溶液の所定の溶液密度関係を形成しやすい。また、ショーツ型生理用ナプキン１０１が、搬送時の振動、圧力等を受け、高温感付与溶液が一時的に移動した場合、着用時の体圧等を受け、高温感付与溶液が一時的に移動した場合であっても、高温感付与溶液が元の位置に戻りやすく、高温感付与溶液の所定の溶液密度関係を形成しやすくなる。
【００７８】
なお、着用者の下腹部に高温感を付与することにより、高温感付与剤に接していた、着用者の下腹部の肌の接触部位のＴＲＰチャネルが活性化される結果、交感神経系を介して、上記接触部位から熱が生じ、着用者の肌の接触部位の温度を上昇させることが期待され、ひいては着用者の子宮に近い部位を温め、着用者の生理痛を緩和することが期待される。また、着用者の月経前症候群（Ｐｒｅｍｅｎｓｔｒｕａｌ  Ｓｙｎｄｒｏｍｅ）、冷え性、更年期障害等が軽減されることが期待される。
【００７９】
図６は、本開示のさらに別の実施形態（以下、「第３実施形態」と称する）に従う温感物品としての、大人用の使い捨ておむつ２０１を説明するための図であり、着用状態を示す図である。なお、以下、「第３実施形態に従う温感物品としての使い捨ておむつ」を、単に『第３実施形態に従う使い捨ておむつ』と称する場合がある。
【００８０】
第３実施形態に従う使い捨ておむつ２０１は、着用者の肌に当接し且つ不織布から構成される液透過性シート２０３と、液不透過性シート２０５と、液透過性シート２０３及び液不透過性シート２０５の間に配置された吸収体２０７と、不織布から構成される溶液保持シート２０９とを備える。溶液保持シート２０９は、吸収体２０７よりも前方且つ液透過性シート２０３及び液不透過性シート２０５の間に配置されている。液透過性シート２０３は、着用時に着用者の肌に当接する肌当接面（図示せず）と、肌当接面の反対側の非肌当接面（図示せず）とを備え、溶液保持シート２０９は、液透過性シート２０３の非肌当接面（図示せず）に隣接している。
溶液保持シート２０９は、使い捨ておむつ２０１の着用時に、着用者の下腹部に対応する位置に配置されるように配置されている。
【００８１】
液透過性シート２０３は、所定の親油性度を付与しうる第１親油化剤で処理された、親油性を有する不織布から構成されている。また、溶液保持シート２０９は、液透過性シート２０３で用いられた第１親油化剤よりも低い親油性度を付与しうる第２親油化剤で処理された、親油性を有する不織布から構成されている。
なお、液透過性シート２０３と、溶液保持シート２０９とは、同一の不織布から構成されており、それらは同一の繊維密度を有する。
【００８２】
また、使い捨ておむつ２０１は、溶液保持シート２０９と厚さ方向Ｔに重複する範囲に、高温感付与領域２１１を備える。高温感付与領域２１１では、ＴＲＰチャネルを活性化する高温感付与剤と、親油性溶媒とを含む高温感付与溶液が、液透過性シート２０３及び溶液保持シート２０９に配置されており、高温感付与領域２１１において、液透過性シート２０３に存在する高温感付与溶液（図示せず）の溶液密度が、溶液保持シート２０９に存在する高温感付与溶液（図示せず）の溶液密度よりも高い。
なお、高温感付与領域２１１は、高温感付与溶液を、液透過性シート２０３及び溶液保持シート２０９のそれぞれに塗工することにより形成された。
【００８３】
従って、着用者が、使い捨ておむつ２０１を着用すると、着用初期において、液透過性シート２０３に存在する、相対的に高密度の高温感付与溶液が、着用者の肌に強い高温感作用を付与することができるので、高温感感知時間を短くすることができる。また、高温感感知時間を短くすることができる結果、着用者が、高温感感知時間において痒みを覚えにくい。
【００８４】
また、使い捨ておむつ２０１では、液透過性シート２０３に存在する、相対的に高密度の高温感付与溶液が着用者の肌に移行し、消費されると、溶液保持シート２０９に存在する、相対的に低密度の高温感付与溶液が液透過性シート２０３に移動し、着用中期及び着用後期において、液透過性シート２０３から、着用者の肌に、相対的に低密度の高温感付与溶液が提供されるが、着用者の肌が一度高温感を覚えると、相対的に低密度の高温感付与溶液が提供された場合であっても、着用者は、適度な高温感を覚え続けることができる。
【００８５】
次いで、着用者が、使い捨ておむつ２０１の着用を終え、入浴等を行った場合に、着用後期に、相対的に低密度の高温感付与溶液による温感作用を受けていたため、着用者が、お湯等により、高温感付与剤に接触していた肌の接触部位に刺激を覚えにくい。
【００８６】
また、使い捨ておむつ２０１では、高温感付与溶液を構成する溶媒が親油性溶媒であり、液透過性シート２０３を構成する不織布の親油性度は、溶液保持シート２０９を構成する不織布の親油性度よりも高い。
【００８７】
従って、液透過性シート２０３及び溶液保持シート２０９の親油性度差により、高温感付与領域２１１において、例えば、高温感付与溶液を、液透過性シート２０３及び溶液保持シート２０９のいずれか一方に塗工した場合、又は液透過性シート２０３及び溶液保持シート２０９の両方に均一量で塗工した場合であっても、高温感付与溶液の所定の溶液密度関係を形成しやすい。また、使い捨ておむつ２０１が、搬送時の振動、圧力等を受け、高温感付与溶液が一時的に移動した場合、着用時の体圧等を受け、高温感付与溶液が一時的に移動した場合であっても、高温感付与溶液が元の位置に戻りやすく、高温感付与溶液の所定の溶液密度関係を形成しやすくなる。
【００８８】
なお、着用者の下腹部に高温感を付与することにより、高温感付与剤に接していた、着用者の下腹部の肌の接触部位のＴＲＰチャネルが活性化される結果、交感神経系を介して、高温感付与剤接触部分から熱が生じ、着用者の肌の接触部位の温度を上昇させることが期待される。
【００８９】
その結果、使い捨ておむつ２０１の着用者が女性の場合には、（ｉ）生理痛の要因とされるプロスタグランジンを排出させ、子宮筋等の筋肉を弛緩させ、生理痛を緩和すること、（ｉｉ）血行を促進し、リンパ液の流れを促進し、老廃物を排出させ、冷え性を改善し、脂肪を燃焼させること、（ｉｉｉ）免疫力を向上させること等が期待される。
使い捨ておむつ２０１の着用者が男性の場合には、（ｉ）プロスタグランジンを排出させ、筋肉を弛緩させ、痛みを緩和すること、（ｉｉ）血行を促進し、リンパ液の流れを促進し、老廃物を排出させ、冷え性を改善し、脂肪を燃焼させること、（ｉｉｉ）免疫力を向上させること等が期待される。
【００９０】
図７〜図１１は、本開示のさらに別の実施形態（以下、「第４実施形態」と称する）に従う温感物品としての温感シート３０１を説明するための図である。なお、以下、「第４実施形態に従う温感物品としての温感シート」を、単に『第４実施形態に従う温感シート』と称する場合がある。具体的には、図７は、第４実施形態に従う温感シート３０１が個包装された温感シートの個包装体３０３の斜視図である。図８は、第４実施形態に従う温感シート３０１の斜視図である。図９は、第４実施形態に従う温感シート３０１の分解斜視図である。図１０は、図８のＸ−Ｘ断面における、温感シート３０１の断面図である。図１１は、第４実施形態に従う温感シート３０１の着用状態を示す図である。なお、以下、「温感シートの個包装体」を、単に『個包装体』と称する場合がある。
【００９１】
第４実施形態に従う温感シート３０１は、肌当接面３３１と、非肌当接面３３３とを有し且つ不織布から構成される液透過性シート３０７と、不織布から構成され且つ液透過性シート３０７の非肌当接面３３３に隣接する溶液保持シート３０９と、溶液保持シート３０９の、液透過性シート３０７と反対側の面に隣接する、不織布から構成される補助溶液保持シート３１１と、着衣に当接する液不透過性シート３１３と、液不透過性シート３１３に固定され且つ液不透過性シート３１３を着衣３２１に貼付するための粘着部３１５と、粘着部３１５を仮固定するための剥離シート３１７とをその順で備え、お互いに直交する長手方向Ｌ、幅方向Ｗ及び厚さ方向Ｔを有する。
【００９２】
液透過性シート３０７は、所定の親水性度を付与しうる第１親水化剤で処理された、親水性を有する不織布から構成され、溶液保持シート３０９は、液透過性シート３０７で用いられた第１親水化剤よりも低い親水性度を付与しうる第２親水化剤で処理された、親水性を有する不織布から構成され、そして補助溶液保持シート３１１は、溶液保持シート３０９で用いられた第２親水化剤よりも低い親水性度を付与しうる第３親水化剤で処理された、親水性を有する不織布から構成されている。
【００９３】
また、液透過性シート３０７を構成する不織布の繊維密度は、溶液保持シート３０９を構成する不織布の繊維密度よりも高く、そして補助溶液保持シート３１１を構成する不織布の繊維密度は、溶液保持シート３０９を構成する不織布の繊維密度よりも低い。
【００９４】
温感シート３０１は、その全面が、低温感付与領域３４１を構成しており、液透過性シート３０７の全体と、溶液保持シート３０９の全体と、補助溶液保持シート３１１の全体とに、ＴＲＰチャネルを活性化する低温感付与剤と、親水性溶媒としての水とを含む低温感付与溶液３４３が配置されている。
【００９５】
低温感付与領域３４１では、液透過性シート３０７に存在する低温感付与溶液３４３の溶液密度が最も高く、溶液保持シート１１３に存在する低温感付与溶液３４３の溶液密度が次に高く、そして補助溶液保持シート３１１に存在する低温感付与溶液３４３の溶液密度が最も低い。
なお、図面上では、低温感付与溶液３４３の溶液密度の高さの関係は、ドットの密度の高低により表されている。
【００９６】
温感シート３０１は、長手方向Ｌの中心に、幅方向Ｗと平行に延びる折軸Ｆ6を備える。なお、個包装体３０３では、温感シート３０１は、折軸Ｆ6を基軸として、液透過性シート３０７の肌当接面３３１を内側にして折り畳まれ、包装シート３０５に包装されている。
【００９７】
粘着部３１５は、複数の粘着部部分３１６から構成されている。複数の粘着部部分３１６のそれぞれは、幅方向Ｗに延びており、温感シート３０１の幅方向Ｗの両端部まで達している。複数の粘着部部分３１６は、長手方向Ｌに所定の間隔をあけて配置されている。
剥離シート３１７は、液不透過性シート３１３と外縁の形状が同一であり、粘着部３１５（複数の粘着部部分３１６）の全体を覆うように配置されている。
【００９８】
図７に示されるように、温感シート３０１は、２つ折りされた状態で、包装シート３０５に包装され、個包装体３０３が形成されている。具体的には、個包装体３０３は、折軸Ｆ6を基軸として、液透過性シート３０７の肌当接面３３１を内側にして２つ折りされた温感シート３０１を、２枚の包装シート３０５で挟み、２枚の包装シート３０５の周縁にシール部３３５を設けることにより形成されている。
【００９９】
着用者は、温感シート３０１を使用するに当たり、個包装体３０３の切欠部３３７から、個包装体３０３を開封し、個包装体３０３から温感シート３０１を取り出し、温感シート３０１から剥離シート３１７を剥離する。次いで、着用者は、温感シート３０１の粘着部３１５を、着衣３２１、具体的にはショーツの内面に固定し、温感シート３０１の肌当接面３３１が着用者の肌に接した状態で、温感シート３０１を使用する。
【０１００】
着用者が、温感シート３０１を使用すると、使用初期において、低温感付与領域３４１の液透過性シート３０７に存在する、相対的に高密度の低温感付与溶液３４３が、着用者の肌に移動し、着用者の肌に強い低温感作用を付与することができるので、低温感感知時間を短くすることができる。
【０１０１】
次いで、液透過性シート３０７に存在する、相対的に高密度の低温感付与溶液３４３が着用者の肌に移動し、消費されると、溶液保持シート３０９に存在する、相対的に中密度の低温感付与溶液３４３が液透過性シート３０７に移動し、着用中期において、液透過性シート３０７から、着用者の肌に、相対的に中密度の低温感付与溶液３４３が移動し、着用者の肌に中程度の温感作用を付与することができる。
【０１０２】
次いで、液透過性シート３０７に存在する、相対的に中密度の低温感付与溶液３４３が着用者の肌に移動し、消費されると、補助溶液保持シート３１１に存在する、相対的に低密度の低温感付与溶液３４３が、溶液保持シート３０９を経由して、液透過性シート３０７に移動し、着用後期において、液透過性シート３０７から、着用者の肌に、相対的に低密度の低温感付与溶液３４３が移動し、着用者の肌に弱い温感作用を付与することができる。
なお、着用者の肌が一度低温感を覚えると、中程度から弱い低温感作用が付与された場合であっても、着用者は、適度な低温感を覚え続けることができる。
【０１０３】
次いで、着用者が、温感シート３０１の使用を終え、温感シート３０１を取り外し、入浴等を行った場合に、着用後期に、相対的に低密度の低温感付与溶液３４３による温感作用を受けていたため、着用者が、お湯等により、低温感付与剤に接触していた肌の接触部位に刺激を覚えにくい。
【０１０４】
本開示の温感物品では、温感付与溶液は、ＴＲＰチャネルを活性化する温感付与剤と、溶媒とを含む。
上記温感付与剤としては、ＴＲＰチャネルを活性化するものであれば、特に制限されず、例えば、高温感付与剤及び低温感付与剤とが挙げられる。
【０１０５】
上記高温感付与剤としては、ＴＲＰＶ１レセプターに対するアゴニスト、ＴＲＰＶ３レセプターに対するアゴニスト等が挙げられ、ＴＲＰＶ１に対するアゴニストであることが好ましい。ＴＲＰＶ１レセプターは、活性化温度閾値が４３℃超と高く、着用者に強い高温感を付与することができるからである。
【０１０６】
上記高温感付与剤は、着用者の安心感の観点から、植物由来の化合物であることが好ましい。上記高温感付与剤としては、例えば、カプシコシド、カプサイシン、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール、ジンゲロン、ヘスペリジン、及びピロリドンカルボン酸、並びにそれらの任意の組み合わせが挙げられる。
【０１０７】
上記高温感付与剤は、着用者が痛さ、痒さ等を覚えにくい観点から、カプサイシンではないことが好ましく、そしてバニリルアルコールアルキルエーテル誘導体（例えば、バニリルエチルエーテル、バニリルブチルエーテル、バニリルペンチルエーテル、バニリルヘキシルエーテルショウガエキス、ジンジャーオイル、ジンゲロール、及びジンゲロン、並びにそれらの任意の組み合わせがより好ましい。
【０１０８】
上記低温感付与剤としては、例えば、ＴＲＰチャネルを活性化するものが挙げられ、上記低温感付与剤としては、例えば、ＴＲＰＭ８レセプターに対するアゴニスト、ＴＲＰＡ１レセプターに対するアゴニスト等が挙げられ、ＴＲＰＭ８レセプターに対するアゴニストであることが好ましい。
【０１０９】
上記低温感付与剤としては、例えば、メントール（例えば、ｌ−メントール）及びその誘導体（例えば、乳酸メンチル、メンチルグリセリルエーテル、例えば、ｌ−メンチルグリセリルエーテル）、サリチル酸メチル、カンファー、植物（例えば、ミント、ユーカリ）由来の精油等が挙げられる。
【０１１０】
上記溶媒は、上記温感付与剤を含むことができるものであれば、特に限定されず、例えば、親油性溶媒及び親水性溶媒が挙げられる。上記溶媒は、上記温感付与剤を、例えば、溶解、分散等することができる。
上記親油性溶媒としては、油脂、例えば、天然油（例えば、トリグリセリド等の脂肪酸エステル、ヤシ油、アマニ油等）、炭化水素（例えば、パラフィン、例えば、流動パラフィン）等が挙げられる。
【０１１１】
上記親水性溶媒としては、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。
【０１１２】
上記溶媒は、揮発性を制御しやすい、特に揮発性を下げやすい観点からは、油脂（親油性溶媒）又はアルコール（親水性溶媒）であることが好ましい。また、上記温感物品が吸収性物品である場合には、吸収性を阻害しにくい観点から、上記溶媒は親油性溶媒であることが好ましい。
【０１１３】
上記温感付与溶液に含まれる上記温感付与剤の量は、温感付与剤の種類によって異なるが、一般的には、上記温感付与溶液は、上記温感付与剤を、好ましくは０．０００１〜５．０質量％、より好ましくは０．０００５〜３．０質量％、さらに好ましくは０．１〜１．０質量％、そしてさらにいっそう好ましくは０．３〜０．７質量％含む。温感作用の観点からである。
【０１１４】
なお、本開示の温感物品が、高温感を付与する温感物品である場合には、温感付与溶液が、上述の高温感付与剤に加え、上述の低温感付与剤を含むことができる。本願発明者は、着用者に高温感を付与する場合に、温感付与溶液に、上述の高温感付与剤に加え、上述の低温感付与剤を含ませることにより、着用者が、上述の温感感知時間に、温感付与溶液と接触している接触部位及びその周辺部に痒みを覚えにくいことを見出した。
【０１１５】
上述の場合には、温感付与溶液は、低温感付与剤を、好ましくは０．０００１〜５．０質量％、より好ましくは０．０００５〜３．０質量％、さらに好ましくは０．１〜１．０質量％、そしてさらにいっそう好ましくは０．３〜０．７質量％含む。着用者が高温感感知時間に痒みを覚えにくく且つ過度の低温感を覚えにくくする観点からである。
【０１１６】
上述の場合には、上記温感付与溶液は、上記高温感付与剤及び低温感付与剤を、好ましくは２０：１〜１：１０、より好ましくは１０：１〜１：５、そしてさらに好ましくは２：１〜１：１の質量比で含む。着用者が、高温感感知時間に痒みを覚えにくいとともに、低温感を覚えにくく且つ高温感を覚えやすい観点からである。
【０１１７】
本開示の温感物品では、上記温感付与溶液は、上述の温感付与剤及び溶媒以外に、着用者への温感作用を阻害しない範囲で、下記に示されるような、少なくとも１種の他の成分とを含むことができる。
【０１１８】
上記少なくとも１種の他の成分としては、冷却剤、例えば、気化熱により周囲の温度を下げる冷却剤が挙げられ、当該冷却剤として、例えば、アルコール、例えば、メタノール及びエタノールが挙げられる。
【０１１９】
上記少なくとも１種の他の成分としては、例えば、シリコーンオイル、シリコーン、シリコーン系レジン等が挙げられる。
上記少なくとも１種の他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【０１２０】
上記少なくとも１種の他の成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
上記ビタミンとしては、例えば、脂溶性ビタミン、例えば、ビタミンＡ群、ビタミンＤ群、ビタミンＥ群、およびビタミンＫ群等が挙げられる。
上記ビタミンにはまた、それらの誘導体も含まれる。
【０１２１】
上記少なくとも１種の他の成分としては、例えば、アミノ酸、例えば、アラニン、アルギニン、リジン、ヒスチジン、プロリン、ヒドロキシプロリン等、並びにペプチドが挙げられる。
【０１２２】
上記少なくとも１種の他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
上記少なくとも１種の他の成分としては、例えば、コレステロール、ヒアルロン酸、レシチン、セラミド、プラセンタ、コラーゲン、エラスチン、スクワラン、ワセリン、トレハロース等が挙げられる。
【０１２３】
また、上記少なくとも１種の他の成分としては、例えば、薬剤、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【０１２４】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【０１２５】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【０１２６】
また、上記少なくとも１種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、肌を弱酸性に保つためのもの、例えば、リンゴ酸、コハク酸、クエン酸、酒石酸、乳酸等が挙げられる。
上記顔料としては、例えば、酸化チタンが挙げられる。
【０１２７】
本開示の温感物品、特に、上記温感付与溶液は、発熱剤を含まないことが好ましい。そうすることにより、着用者が、低温やけどを起こしにくくなる。また、温感物品自体が発熱しないため、温感物品を着衣、肌当に固定するための粘着部が軟化しにくく、温感物品の使用を終え、温感物品を着衣、着用者の肌等から取り外す際に、温感物品の粘着部が、着衣、肌等に残りにくい。
【０１２８】
上記発熱剤としては、発熱剤自体が発熱するものであれば、特に制限されず、例えば、金属粉（例えば、鉄粉）の酸化熱、酸及びアルカリの中和熱、無機塩の水和熱等の化学エネルギーを利用するものが挙げられる。
【０１２９】
本開示の温感物品において、液透過性シート及び溶液保持シート、並びに所望による補助溶液保持シートは、布帛から構成されれば特に制限されず、例えば、不織布、織布、編物から構成される。上記布帛は、温感物品の製法のしやすさの観点から不織布であることが好ましい。
上記不織布としては、例えば、エアレイドパルプ、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【０１３０】
また、液透過性シート及び溶液保持シート、並びに所望による補助溶液保持シートは、一体に形成された布帛、例えば、不織布であることができる。例えば、液透過性シートに相当するウェブと、溶液保持シートに相当するウェブとを積層し、公知の不織布形成法、例えば、エアスルー法を用いて、一体に形成された不織布を製造することができる。
【０１３１】
上記布帛を構成する繊維としては、例えば、天然繊維、合成繊維、及び半合成繊維が挙げられる。上記天然繊維としては、パルプ繊維及び再生セルロース繊維が挙げられる。
上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成繊維としては、半合成セルロース繊維、例えば、アセテート繊維、例えば、トリアセテート繊維及びジアセテート繊維が挙げられる。
【０１３２】
上記合成繊維としては、例えば、熱融着性繊維、例えば、ポリオレフィン系ポリマー、例えば、ポリエチレン若しくはポリプロピレン；ポリエステル系ポリマー、例えば、テレフタレート系ポリマー、例えば、ポリエチレンテレフタレート（ＰＥＴ），ポリブチレンテレフタレート，ポリペンチレンテレフタレート；ポリアミド系ポリマー、例えば、ナイロン６若しくはナイロン６，６；アクリル系ポリマー；ポリアクリロニトリル系ポリマー；又はそれらの変性物、あるいはそれらの組み合わせ等から形成された繊維が挙げられる。
【０１３３】
本開示の温感物品では、液透過性シート及び溶液保持シート、並びに所望による補助溶液保持シートを構成する布帛は、親水性又は親油性を有することができる。親水性を有する布帛は、布帛、又は布帛を構成する素材（繊維、繊維の原料等）を、当技術分野で公知の親水化剤で処理する（例えば、親水化剤を塗工する、親水化剤を練り込む）ことにより形成されうる。上記親水化剤としては、例えば、アルキルホスフェートエステル塩、アルキルホスフェート金属塩等が挙げられる。また、上記親水化剤としては、例えば、炭素数が１０〜３０のアルキルホスフェートエステル塩と、炭素数が１０〜３０のベタイン化合物、硫酸エステル塩又はスルホネート塩との混合物、アルキルホスフェートエステル塩とポリエーテル変性シリコーンとの混合物等が挙げられる。
なお、布帛の親水化度は、上記親水化剤の種類、濃度、量等により調整することができる。
【０１３４】
親油性を有する布帛としては、布帛そのもの、又は布帛を構成する素材（繊維、繊維の原料等）を、当技術分野で公知の親油化剤で処理する（例えば、親油化剤を塗工する、親油化剤を練り込む）ことにより形成されうる。上記親油化剤としては、脂肪酸エステル（例えば、トリグリセリド）、炭化水素（例えば、直鎖状炭化水素）が挙げられる。
なお、布帛の親油化度は、上記親油化剤の種類、濃度、量等により調整することができる。
【０１３５】
本開示の温感物品では、温感付与領域において、液透過性シートに存在する温感付与溶液の溶液密度が、溶液保持シートに存在する温感付与溶液の溶液密度よりも高く、そして好ましくは５〜３００質量％高く、より好ましくは１０〜２００質量％高く、そしてさらに好ましくは２０〜１００質量％高い。そうすることにより、着用初期に強い温感作用を付与することができるとともに、着用後、温感付与剤に接触していた、着用者の肌の接触部位に刺激を与えにくくなる。
【０１３６】
本開示の温感物品では、液透過性シートに存在する温感付与溶液の溶液密度は、温感付与剤の種類、温感付与溶液を構成する溶媒によっても変わりうる。例えば、温感付与溶液を構成する溶媒が親油性溶媒である場合には、液透過性シートに存在する温感付与溶液の溶液密度は、好ましくは０．００２×１０-1〜０．５００ｇ／ｃｍ3、より好ましくは０．００３×１０-1〜０．４００ｇ／ｃｍ3、そして最も好ましくは０．００４×１０-1〜０．３００ｇ／ｃｍ3である。また、例えば、温感付与溶液を構成する溶媒が親水性溶媒である場合には、液透過性シートに存在する温感付与溶液の溶液密度は、好ましくは０．２００〜０．６００ｇ／ｃｍ3、より好ましくは０．２５０〜０．５５０ｇ／ｃｍ3、そして最も好ましくは０．３００〜０．５００ｇ／ｃｍ3である。そうすることにより、着用初期に強い温感作用を付与することができる。
【０１３７】
本明細書において、液透過性シート、溶液保持シート、及び所望による補助溶液保持シートにおける、温感付与溶液の溶液密度の高低は、上述のシートの断面等を光学顕微鏡等により観察することにより実施することができる。
なお、液透過性シート、溶液保持シート、及び所望による補助溶液保持シートにおける、温感付与溶液の溶液密度の測定方法は、後述する。
【０１３８】
本開示の温感物品では、液透過性シートを構成する布帛の繊維密度が、溶液保持シートを構成する布帛の繊維密度よりも高いことが好ましく、そして液透過性シートを構成する布帛は、溶液保持シートを構成する布帛よりも、好ましくは０．００５ｇ／ｃｍ3以上、より好ましくは０．０１０ｇ／ｃｍ3以上、さらに好ましくは０．０１５ｇ／ｃｍ3以上、さらにいっそう好ましくは０．０２０ｇ／ｃｍ3以上、さらにいっそう好ましくは０．０２５ｇ／ｃｍ3以上、そしてさらにいっそう好ましくは０．０３０ｇ／ｃｍ3以上の差で大きい繊維密度を有する。
【０１３９】
また、液透過性シートを構成する布帛は、溶液保持シートを構成する布帛よりも、好ましくは０．４４０ｇ／ｃｍ3以下、より好ましくは０．３００ｇ／ｃｍ3以下、さらに好ましくは０．２５０ｇ／ｃｍ3以下、さらにいっそう好ましくは０．２００ｇ／ｃｍ3以下、さらにいっそう好ましくは０．１５０ｇ／ｃｍ3以下、さらにいっそう好ましくは０．１００ｇ／ｃｍ3以下、さらにいっそう好ましくは０．０６０ｇ／ｃｍ3以下、さらにいっそう好ましくは０．０４５ｇ／ｃｍ3以下、さらにいっそう好ましくは０．０４０ｇ／ｃｍ3以下、そしてさらにいっそう好ましくは０．０３５ｇ／ｃｍ3以下の差で大きい繊維密度を有する。
なお、上記繊維密度の測定方法は、後述する。
【０１４０】
そうすることにより、温感物品が、着用前又は着用中に加圧等を受けて、温感付与溶液が、一時的に移動した場合であっても、温感付与溶液が、温感付与溶液の所定の溶液密度関係を満たすように戻りやすくなる。その結果、着用者が、着用初期に痒みを覚えにくくなり、着用者が、温感物品を取り外した後に、温感付与剤に接触していた肌の接触部位に刺激を覚えにくくなる。
【０１４１】
本開示の温感物品では、上記溶液保持シートは、好ましくは０．００５〜０．１２０ｇ／ｃｍ3、より好ましくは０．０１０〜０．１００ｇ／ｃｍ3、そしてさらに好ましくは０．０２０〜０．０８０ｇ／ｃｍ3の繊維密度を有する。
【０１４２】
本明細書では、液透過性シート及び溶液保持シート、並びに所望による補助溶液保持シートの繊維密度と、液透過性シート及び溶液保持シート、並びに所望による補助溶液保持シートにおける温感付与溶液の溶液密度とは、以下の通り測定される。
（１）温度：２０±５℃及び湿度：６５±５％ＲＨの恒温恒湿室に、株式会社大栄科学精器製作所製  ＦＳ−６０ＤＳ［測定面：４４ｍｍ（直径），測定圧：３ｇ／ｃｍ2］を準備し、同恒温恒湿室に、複数枚の温感シートを２４時間静置する。
【０１４３】
（２）複数枚の温感シートのそれぞれから、液透過性シート及び溶液保持シート、並びに所望による補助溶液保持シート(以下、「サンプル」と称する）を分離し、各サンプルから、１０ｃｍ×１０ｃｍのサイズのサンプル片［面積：ｓ（ｃｍ2）］を採取する。なお、各サンプルから１０ｃｍ×１０ｃｍのサイズのサンプル片が採取できない場合には、複数枚のサンプルから、１０ｃｍ×１０ｃｍのサイズのサンプル片を形成するか、又は各サンプルのサイズを調整してもよい。
【０１４４】
（３）各サンプル片の質量：ｍ1（ｇ）を測定する。
（４）ＦＳ−６０ＤＳを用いて、各サンプル片の異なる５つの部分を加圧し、各部分における加圧１０秒後の厚さを測定し、５つの測定値の平均値を、各サンプル片の厚さ：ｔ（ｃｍ）とする。
（５）各サンプル片を、温感付与溶液の極性に合わせた洗浄溶媒（例えば、温感付与溶液の溶媒が親油性溶媒である場合にはトルエン、温感付与溶液の溶媒が親水性溶媒である場合にはエタノール等）で洗浄する。
（６）洗浄後の各サンプル片を、７０℃で１時間乾燥し、乾燥後の質量：ｍ2（ｇ）を測定する。
【０１４５】
（７）各サンプル片における温感付与溶液の溶液密度：ｓｄ（ｇ／ｃｍ3）を、次の式：
ｓｄ（ｇ／ｃｍ3）＝（ｍ1−ｍ2）／ｓ／ｔ
により算出する。
（８）液透過性シート及び溶液保持シート、並びに所望による補助溶液保持シートのそれぞれにおいて、計１０枚のサンプル片の溶液密度：ｓｄ1（ｇ／ｃｍ3）の平均値を算出し、当該平均値を溶液密度：ＳＤ（ｇ／ｃｍ3）として採用する。
（９）各サンプル片の繊維密度：ｆｄ（ｇ／ｃｍ3）を、次の式：
ｆｄ（ｇ／ｃｍ3）＝ｍ2／ｓ／ｔ
（１０）液透過性シート及び溶液保持シート、並びに所望による補助溶液保持シートのそれぞれにおいて、計１０枚のサンプル片の繊維密度：ｆｄ（ｇ／ｃｍ3）の平均値を算出し、当該平均値を繊維密度：ＦＤ（ｇ／ｃｍ3）として採用する。
【０１４６】
本開示の温感物品において、温感付与溶液を構成する溶媒が親油性溶媒である場合には、液透過性シートを構成する布帛の親油性度が、溶液保持シートを構成する布帛の親油性度よりも高いことが好ましい。
また、本開示の温感物品において、温感付与溶液を構成する溶媒が親水性溶媒である場合には、液透過性シートを構成する布帛の親水性度が、溶液保持シートを構成する布帛の親水性度よりも高いことが好ましい。
【０１４７】
そうすることにより、温感物品が、着用前又は着用中に加圧等を受けて、温感付与溶液が、一時的に移動した場合であっても、温感付与溶液が、温感付与溶液の所定の溶液密度関係を満たすように戻りやすくなる。その結果、着用者が、着用初期に痒みを覚えにくくなり、温感物品を取り外した後に、温感付与剤に接触していた、着用者の肌の接触部位に刺激を覚えにくくなる。
また、温感付与溶液を、液透過性シート及び溶液保持シートのいずれか一方に塗工した場合、又は液透過性シート及び溶液保持シートの両方に均一量で塗工した場合であっても、温感付与溶液の所定の溶液密度関係を形成しやすくなる。
【０１４８】
本明細書では、液透過性シート及び溶液保持シート、並びに所望による補助溶液保持シートの親油性度の高低及び親水性度の高低は、以下の通り評価される。
（１）温度：２０±５℃及び湿度：６５±５％ＲＨの恒温恒湿室に、協和界面化学株式会社の自動極小接触角計ＭＣＡ−Ｊを準備し、同恒温恒湿室に、液透過性シート、溶液保持シート、及び所望による補助溶液保持シート(以下、「サンプル」と称する）を２４時間静置する。
（２）ＭＣＡ−Ｊのインクジェットから、脱イオン水の微小液滴（２０ｐＬ）を、測定すべきサンプルの表面（サンプルが布帛の場合には繊維の表面、サンプルがシートの場合にはシートの表面）に滴下し、微小液滴の様子を経時で録画する。
（３）サンプルの表面に微小液滴が付着した直後の画像を画像解析し、微小液滴の、サンプルの表面に対する接触角を算出する。
（４）接触角は、異なる繊維２０本の計２０カ所の測定値の平均値を採用する。
（５）接触角が大きいサンプルを、親油性が高いサンプル（親水性が低いサンプル）とし、接触角の小さいサンプルを、親油性の低いサンプル（親水性の高いサンプル）とする。
【０１４９】
本開示の温感物品は、温感付与領域と、温感物品の厚さ方向に重複する範囲に、溶液保持シートの、液透過性シートと反対側の面に隣接し且つ温感付与領域を構成する、布帛から構成される補助溶液保持シートをさらに備えることができる。
また、補助溶液保持シートに存在する温感付与溶液の溶液密度が、溶液保持シートに存在する温感付与溶液の溶液密度よりも低いことが好ましく、そして補助溶液保持シートに存在する温感付与溶液が、溶液保持シートに存在する温感付与溶液よりも、好ましくは０．００５ｇ／ｃｍ3以上、より好ましくは０．０１０ｇ／ｃｍ3以上、さらに好ましくは０．０１５ｇ／ｃｍ3以上、さらにいっそう好ましくは０．０２０ｇ／ｃｍ3以上、さらにいっそう好ましくは０．０２５ｇ／ｃｍ3以上、そしてさらにいっそう好ましくは０．０３０ｇ／ｃｍ3以上の差で小さい繊維密度を有する。
【０１５０】
また、補助溶液保持シートに存在する温感付与溶液が、溶液保持シートに存在する温感付与溶液よりも、好ましくは０．４４０ｇ／ｃｍ3以下、より好ましくは０．３００ｇ／ｃｍ3以下、さらに好ましくは０．２５０ｇ／ｃｍ3以下、さらにいっそう好ましくは０．２００ｇ／ｃｍ3以下、さらにいっそう好ましくは０．１５０ｇ／ｃｍ3以下、さらにいっそう好ましくは０．１００ｇ／ｃｍ3以下、さらにいっそう好ましくは０．０６０ｇ／ｃｍ3以下、さらにいっそう好ましくは０．０４５ｇ／ｃｍ3以下、さらにいっそう好ましくは０．０４０ｇ／ｃｍ3以下、そしてさらにいっそう好ましくは０．０３５ｇ／ｃｍ3以下の差で小さい繊維密度を有する。
【０１５１】
そうすることにより、液透過性シートに存在する、相対的に中密度の温感付与溶液が着用者の肌に移動し、消費されると、補助溶液保持シートに存在する、相対的に低密度の温感付与溶液が、溶液保持シートを経由して、液透過性シートに移動し、着用後期において、液透過性シートから、着用者の肌に、相対的に低密度の温感付与溶液が移動し、着用者の肌に弱い温感作用を付与することができる。
【０１５２】
また、着用者が、温感物品の使用を終え、温感物品を取り外し、入浴等を行った場合に、着用後期に、相対的に低密度の温感付与溶液による温感作用を受けていたため、着用者が、お湯等により、温感付与剤に接触していた肌の接触部位に刺激を覚えにくい。
【０１５３】
本開示の温感物品が補助溶液シートをさらに備える場合には、補助溶液保持シートを構成する布帛の繊維密度が、溶液保持シートを構成する布帛の繊維密度よりも低いことが好ましい。そうすることにより、温感物品が、着用前又は着用中に加圧等を受けて、温感付与溶液が一時的に移動した場合であっても、温感付与溶液が、温感付与溶液の所定の溶液密度関係を満たすように戻りやすくなる。
【０１５４】
本開示の温感物品が補助溶液シートをさらに備える場合であって、温感付与溶液を構成する溶媒が親油性溶媒である時には、補助溶液保持シートを構成する布帛の親油性度が、溶液保持シートを構成する布帛の親油性度よりも低いことが好ましく、そして液透過性シートを構成する布帛の親油性度が、溶液保持シートを構成する布帛の親油性度よりも高く、そして補助溶液保持シートを構成する布帛の親油性度が、溶液保持シートを構成する布帛の親油性度よりも低いことがより好ましい。そうすることにより、温感物品が、着用前又は着用中に加圧等を受けて、温感付与溶液が一時的に移動した場合であっても、温感付与溶液が、温感付与溶液の所定の溶液密度関係を満たすように戻りやすくなる。
【０１５５】
本開示の温感物品が補助溶液シートをさらに備える場合であって、温感付与溶液を構成する溶媒が親水性溶媒である時には、補助溶液保持シートを構成する布帛の親水性度が、溶液保持シートを構成する布帛の親水性度よりも低いことが好ましく、そして液透過性シートを構成する布帛の親水性度が、溶液保持シートを構成する布帛の親水性度よりも高く、補助溶液保持シートを構成する布帛の親水性度が、溶液保持シートを構成する布帛の親水性度よりも低いことがより好ましい。そうすることにより、温感物品が、着用前又は着用中に加圧等を受けて、温感付与溶液が一時的に移動した場合であっても、温感付与溶液が、温感付与溶液の所定の溶液密度関係を満たすように戻りやすくなる。
【０１５６】
本開示の温感物品では、液透過性シートの厚さ保持率が、溶液保持シートの厚さ保持率よりも小さいことが好ましく、より好ましくは１０〜９０％、さらに好ましくは２０〜８５％、そしてさらにいっそう好ましくは３０〜７０％小さい。そうすることにより、液透過性シートが、溶液保持シートよりも適度に潰れやすくなり、温感物品に体圧等が加わった際に、液透過性シートの厚さが薄くなりやすく、液透過性シートが保持する温感付与溶液が、着用者の肌に移動しやすくなる。
なお、上記厚さ保持率は、シートの、３ｇ／ｃｍ2荷重時の厚さに対する、３０ｇ／ｃｍ2の荷重時の厚さの比率を意味する。
【０１５７】
本開示の温感物品では、液透過性シートは、３０ｇ／ｃｍ2の荷重時の厚さが、３ｇ／ｃｍ2荷重時の厚さの、好ましくは７０％以下、より好ましくは６０％以下、そしてさらに好ましくは５０％以下である。そうすることにより、温感物品に体圧等が加わった場合に、液透過性シートが潰れやすくなり、液透過性シートが保持する温感付与溶液を、着用者の肌に接触させやすくなる。
【０１５８】
本開示の温感物品では、液透過性シートは、１０ｇ／ｃｍ2の荷重時の厚さが、３ｇ／ｃｍ2荷重時の厚さの、好ましくは７０％以上、より好ましくは８０％以上、そしてさらに好ましくは９０％以上である。そうすることにより、着衣等の着圧では液透過性シートが過度に潰れにくくなる。
【０１５９】
本明細書では、３０ｇ／ｃｍ2、１０ｇ／ｃｍ2及び３ｇ／ｃｍ2荷重時の厚さは、以下の通り測定される。
（１）温度：２０±５℃及び湿度：６５±５％ＲＨの恒温恒湿室に、株式会社大栄科学精器製作所製  ＦＳ−６０ＤＳを準備し、同恒温恒湿室に、液透過性シート (以下、「サンプル」と称する）を２４時間静置する。
（２）サンプルの厚さを、場所を変えて１０点測定し、それらの平均値を、サンプルの厚さとして採用する。
荷重は、測定子を変更することにより調整する。荷重：３ｇ／ｃｍ2の条件では、直径：４４ｍｍの測定子を用い、荷重：１０ｇ／ｃｍ2の条件では、直径：２５ｍｍの測定子を用い、そして荷重：３０ｇ／ｃｍ2の条件では、直径：１４ｍｍの測定子を用いる。
【０１６０】
上記液透過性シート及び溶液保持シートのそれぞれは、好ましくは１０〜１００ｇ／ｍ2、そしてより好ましくは２０〜５０ｇ／ｍ2の坪量を有する。また、所望による補助溶液保持シートは、好ましくは１０〜１，０００ｇ／ｍ2、そしてより好ましくは２０〜１００ｇ／ｍ2の坪量を有する。
【０１６１】
本開示の温感物品では、温感物品の、温感付与領域と重複する領域の厚さが、温感物品の温感付与領域と重複しない領域の厚さよりも厚いことが好ましい。そうすることにより、着用者が、温感付与領域と重複する領域を押し込みやすくなり、ひいては温感付与領域から温感付与溶液が放出されやすくる。
【０１６２】
本開示の温感物品において、液透過性シートは、発熱性繊維、断熱性繊維及び吸湿性繊維、並びにそれらの任意の組み合わせからなる群から選択される繊維（以下、単に「機能性繊維」と称する場合がある）を含むことができる。
液透過性シートが、上述の所定の機能性繊維を含むと、着用者の蒸散、汗等による水分により、着用者の肌の主に角質層が膨潤しやすくなり、温感付与溶液が、角化細胞（ケラチノサイト）に主に存在するＴＲＰチャネルに到達しやすくなる。その結果、温感感知時間が短くなり、そして温感付与剤が、高温感付与剤である場合には、着用者が、高温感感知時間に痒みを覚えにくくなる。
【０１６３】
上記発熱性繊維としては、（ｉ）吸湿発熱性繊維、（ｉｉ）蓄熱繊維、（ｉｉｉ）遠赤外線放射繊維が挙げられる。
【０１６４】
上記吸湿発熱性繊維としては、例えばアクリレート系繊維、羊毛等が挙げられる。上記蓄熱繊維としては、例えば、太陽光を吸収し、熱エネルギーに変換する物質（炭化ジルコニウム等）を含む繊維、カーボンを含む繊維等が挙げられる。上記遠赤外線放射繊維としては、例えば、加熱されると、遠赤外線を放射するセラミックスを含む繊維が挙げられる。
上記断熱性繊維としては、中空繊維、羽毛等が挙げられる。
上記吸湿性繊維としては、上述の天然繊維、半合成繊維等が挙げられる。
【０１６５】
具体的には、本開示の温感物品において、液透過性シートが吸湿発熱性繊維を含む場合には、着用者の肌からの蒸散、汗等の水分が提供されると、吸湿発熱性繊維が発熱し、着用者が汗をかきやすくなる。次いで、着用者の汗の水分により、着用者の肌の主に角質層が膨潤し、温感付与溶液が、角化細胞（ケラチノサイト）に主に存在するＴＲＰチャネルに到達しやすくなる。その結果、温感感知時間が短くなり、着用者が、温感感知時間に痒みを覚えにくくなる。
【０１６６】
また、液透過性シートが、蓄熱繊維又は遠赤外線放射繊維を含む場合にも、着用者が汗をかきやすくなり、着用者の汗の水分により、着用者の肌の主に角質層が膨潤し、温感付与溶液が、角化細胞（ケラチノサイト）に主に存在するＴＲＰチャネルに到達しやすくなる。その結果、温感感知時間が短くなり、着用者が、温感感知時間に痒みを覚えにくくなる。
【０１６７】
本開示の温感物品において、液透過性シートが断熱性繊維を含む場合には、着用者が汗をかきやすくなり、着用者の汗の水分により、着用者の肌の主に角質層が膨潤し、温感付与溶液が、角化細胞（ケラチノサイト）に主に存在するＴＲＰチャネルに到達しやすくなる。その結果、温感感知時間が短くなり、そして温感付与剤が、高温感付与剤である場合には、着用者が、高温感感知時間に痒みを覚えにくくなる。
【０１６８】
本開示の温感物品において、液透過性シートが吸湿性繊維を含む場合には、吸湿性繊維が、着用者の蒸散、汗等の水分を保持し、着用者の肌の主に角質層を膨潤させやすくなり、温感付与溶液が、角化細胞（ケラチノサイト）に主に存在するＴＲＰチャネルに到達しやすくなる。その結果、温感感知時間が短くなり、着用者が、温感感知時間に痒みを覚えにくくなる。
【０１６９】
本開示の温感物品において、液不透過性シートの素材としては、液不透過性を有するものであれば特に制限されず、例えば、フィルム、例えば、ポリエチレン、ポリプロピレン等から構成される透湿性フィルム、非透湿性フィルム、スパンボンド又はスパンレース等の不織布に透湿性フィルムを接合したもの、ＳＭＳ等の複層不織布等が挙げられる。
【０１７０】
本開示の温感物品では、液不透過性シートが非透湿性フィルムから構成されることが好ましい。そうすることにより、温感付与領域及び温感付与領域に接する着用者の肌に存在する水分、水蒸気等が、液不透過性シートを透過して温感物品の外に排出されにくくなり、着用者の肌の主に角質層が膨潤した状態を保持しやすく、温感付与溶液が、主に角化細胞（ケラチノサイト）に存在するＴＲＰチャネルに到達しやすくなる。その結果、温感感知時間が短くなり、着用者が、温感感知時間に痒みを覚えにくくなる。
上記液不透過性シートは、好ましくは１０〜５０ｇ／ｍ2、そしてより好ましくは１５〜３０ｇ／ｍ2の坪量を有する。
【０１７１】
上記吸収体としては、コアラップが、パルプ繊維及び高分子吸収剤を含む吸収コアを覆っているもの、コアラップが、高分子吸収剤を含む吸収コア又は高分子吸収剤から成る吸収コアを覆っているもの等が挙げられる。
【０１７２】
本開示の温感物品は、液透過性シートと液不透過性シートとの間に、追加の部材、例えば、補助シート等を含むことができる。
上記補助シートの素材としては、液透過性シートを構成する布帛として列挙されるものが挙げられる。
【０１７３】
本開示の温感物品は、当該温感物品を着衣、着用者の肌等に固定する粘着部を備えることができ、当該粘着部としては、ホットメルト接着剤、例えば、例えば、スチレン−エチレン−ブタジエン−スチレン（ＳＥＢＳ）、スチレン−ブタジエン−スチレン（ＳＢＳ）、スチレン−イソプレン−スチレン（ＳＩＳ）等のゴム系を主体とした、又は直鎖状低密度ポリエチレン等のオレフィン系を主体とした感圧型接着剤又は感熱型接着剤；水溶性高分子（例えば、ポリビニルアルコール、カルボキシルメチルセルロース、ゼラチン等）又は水膨潤性高分子（例えば、ポリビニルアセテート、ポリアクリル酸ナトリウム等）からなる感水性接着剤等が挙げられる。
【０１７４】
本開示の温感物品は、使用される前に包装シートで包装されていることが好ましい。温感物品が保持する温感付与溶液を保護する観点、温感物品が保持する温感付与溶液を外部に漏らさない観点等からである。例えば、本開示の温感物品は、一又は複数の温感物品が包装シートで包装された包装体であることが好ましく、そして１つの温感物品が包装シートで包装された個包装体であることがより好ましい。
【０１７５】
上記包装シートの素材としては、例えば、ポリオレフィン系ポリマー、例えば、ポリエチレン及びポリプロピレンが挙げられる。上記包装シートは、上記個包装体の気密性を高める観点から、気密層を含んでもよく、そして当該気密層の素材としては、例えば、エチレンビニルアルコールコポリマー、塩化ビニリデン系ポリマー、例えば、塩化ビニリデンメチルアクリレートコポリマー、ポリビニルアルコール、ナイロン、例えば、ナイロン６、アルミ箔、基材フィルム（ポリエチレンテレフタレート等）上にアルミナ、シリカ等が蒸着されたものが挙げられる。
【０１７６】
本開示の温感物品は、温感付与溶液を含むものであれば特に制限されず、例えば、吸収性物品、温感シート等が挙げられる。
上記吸収性物品としては、特に制限されず、吸収体を備えるもの、例えば、生理用ナプキン、ショーツ型生理用ナプキン、パンティーライナー、使い捨ておむつ、失禁パッド、陰唇間パッド、タンポン、産褥パッド、母乳パッド、痔用パッド、汗取りパッド、褥瘡シート（ドレッシングシート）、ペット用オムツ、ペット用シート等が挙げられる。
【０１７７】
上記吸収性物品では、温感付与溶液を含む温感付与領域は、吸収性物品の平面方向において、吸収体と、吸収性物品の厚さ方向に重複しない位置、吸収体と、吸収性物品の厚さ方向に重複する位置、それらの任意の組み合わせの位置等に配置されうる。
【０１７８】
上記温感シートとしては、例えば、着衣固定タイプの温感シート（例えば、液不透過性シートの着衣当接面に、着用者の着衣に固定するための粘着部を備え、上記粘着部を着衣の内面に貼付して使用するもの）、肌固定タイプの温感シート（例えば、液透過性シートの肌当接面（例えば、温感シートの周縁）に、着用者の肌に固定するための粘着部を備え、上記粘着部を着用者の肌に貼付して使用するもの）が挙げられる。
【０１７９】
着衣固定タイプの温感シートが固定される着衣としては、特に制限されず、例えば、着用者の肌に直接接する部分を有し、好ましくは着用者にフィットして用いられるものが挙げられる。上記着衣としては、例えば、下着（例えば、ショーツ、シャツ、ブラジャー等）、上着（例えば、上衣、下衣）、靴下、手袋、マフラー、フェイスマスク、アイマスク等が挙げられる。
【０１８０】
上記温感シートが温感（高温感、低温感）を付与しうる部位としては、特に制限されず、例えば、頭（例えば、顔部、例えば、眼部）、首、上肢（例えば、胸部、腹部、鼠径部、背中部、腰部、上腕部、前腕部、手部）、下肢（例えば、大腿部、下腿部、足部）等が挙げられる。
【０１８１】
上記温感シートでは、温感付与溶液を含む温感付与領域は、温感シートの平面方向において、全面、中央部、周縁部、それらの任意の組み合わせの位置等に配置されうる。
【実施例】
【０１８２】
以下、例を挙げて本開示を説明するが、本開示はこれらの例に限定されるものではない。
［製造例１］
温感物品として、第１実施形態に従う生理用ナプキンＮｏ．１を製造した。吸収本体及び温感本体における液透過性シートは、溶液保持シートと、生理用ナプキンの厚さ方向に重複する部分を、第１親油化剤で処理し、親油性を有するエアスルー不織布（構成繊維：熱融着性繊維，坪量：６０ｇ／ｍ2，繊維密度：０．０６ｇ／ｃｍ3，それ以外の部分は親水化剤で処理した）であり、高温感付与領域には、高温感付与溶液が、高温感付与剤の坪量が１．０ｇ／ｍ2となるような量で塗工されていた。
【０１８３】
溶液保持シートは、その全面が、液透過性シートで用いられた第１親油化剤よりも低い親油化度を付与しうる第２親油化剤で処理された、親油性を有するエアスルー不織布（構成繊維：熱融着性繊維，坪量：３０ｇ／ｍ2，繊維密度：０．０３ｇ／ｃｍ3）から構成され、高温感付与領域には、高温感付与溶液が、高温感付与剤の坪量が０．５ｇ／ｍ2となるような量で塗工されていた。
なお、温感付与溶液は、高温感付与剤としてのバニリルブチルエーテル（１０．０質量％）と、親油性溶媒としてのイソノナン酸イソノニルとから構成されていた。
液不透過性シートは、ポリエチレンフィルム（坪量：２４ｇ／ｍ2）であった。
【０１８４】
［製造例２］
溶液保持シートを、第１親油化剤で処理した以外は、製造例１と同様にして、生理用ナプキンＮｏ．２を製造した。
［製造例３］
溶液保持シートを構成するエアスルー不織布を、液透過性シートを構成するエアスルー不織布に変更し、第２親油化剤で処理した以外は製造例１と同様にして、生理用ナプキンＮｏ．３を製造した。
【０１８５】
［製造例４］
温感物品として、第４実施形態に従う温感シートＮｏ．１を製造した。液透過性シートは、第１親水化剤で処理された、親水性を有するエアスルー不織布（構成繊維：熱融着性繊維，坪量：６０ｇ／ｍ2，繊維密度：０．０６ｇ／ｃｍ3）であり、低温感付与領域には、低温感付与溶液が、低温感付与剤の坪量が１．０ｇ／ｍ2となるような量で塗工されていた。
【０１８６】
溶液保持シートは、液透過性シートで用いられた第１親水化剤よりも低い親水化度を付与しうる第２親水化剤で処理された、親水性を有するエアスルー不織布（構成繊維：熱融着性繊維，坪量：６０ｇ／ｍ2，繊維密度：０．０４ｇ／ｃｍ3）であり、低温感付与領域には、低温感付与溶液が、低温感付与剤の坪量が０．５ｇ／ｍ2となるような量で塗工されていた。
【０１８７】
補助溶液保持シートは、溶液保持シートで用いられた第２親水化剤よりも低い親水化度を付与しうる第３親水化剤で処理された、親水性を有するエアスルー不織布（構成繊維：熱融着性繊維，坪量：３０ｇ／ｍ2，繊維密度：０．０２ｇ／ｃｍ3）であり、低温感付与領域には、低温感付与溶液が、低温感付与剤の坪量が０．２５ｇ／ｍ2となるような量で塗工されていた。
なお、低温感付与溶液は、低温感付与剤としてのｌ−メンチルグリセリルエーテル（１０．０質量％）と、界面活性剤（１．２質量％）と、親水性溶媒としての水とから構成されていた。
液不透過性シートは、ポリエチレンフィルム（坪量：２４ｇ／ｍ2）であった。
【０１８８】
［製造例５］
溶液保持シート及び補助溶液保持シートを、第１親水化剤で処理した以外は、製造例４と同様にして、温感シートＮｏ．２を製造した。
［製造例６］
溶液保持シート及び補助溶液保持シートを構成するエアスルー不織布を、液透過性シートを構成するエアスルー不織布に変更し、親水化剤は変更しなかった以外は製造例４と同様にして、温感シートＮｏ．３を製造した。
【０１８９】
［製造例７］
溶液保持シートを構成するエアスルー不織布を、液透過性シートを構成するエアスルー不織布に変更し、第１親油化剤で処理した以外は、製造例１と同様にして、生理用ナプキンＮｏ．４を製造した。
［製造例８］
溶液保持シート及び補助溶液保持シートを構成するエアスルー不織布を、液透過性シートを構成するエアスルー不織布に変更し、溶液保持シート及び補助溶液保持シートを、第１親水化剤で処理した以外は、製造例４と同様にして、温感シートＮｏ．４を製造した。
【０１９０】
［実施例１〜６，並びに比較例１及び２］
複数の被験者のそれぞれに、生理用ナプキンＮｏ．１〜Ｎｏ．４、温感シートＮｏ．１〜Ｎｏ．４を着用してもらい、着用初期（着用後１０分以内）の温感作用を４段階（１：温感を覚えなかった，２：弱い温感を覚えた，３：中程度の温感を覚えた，４：強い温感を覚えた）で評価してもらい、そして着用後の温感付与剤に接触していた肌の接触部位の刺激性を４段階（１：刺激性が高かった，４：刺激性が低かった）で評価してもらった、また、生理用ナプキンＮｏ．１〜Ｎｏ．４では、着用初期（着用後１０分以内）の痒みにくさを４段階（１：我慢しがたい強い痒みを覚えた，２：我慢できる程度の痒みを覚えた，３：弱い痒みを覚えた，４：痒みを覚えなかった）で評価してもらった。結果（平均値を四捨五入し、整数としたもの）を表１に示す。
【０１９１】
【表１】
2019068945.tif 000003
【符号の説明】
【０１９２】
１    生理用ナプキン
３    吸収本体
５    温感本体
７    液透過性シート
８ａ    肌当接面
８ｂ    非肌当接面
９    液不透過性シート
１１    吸収体
１３    溶液保持シート
１５    形状保持部材
１７    重複部
１９    着衣
２１    粘着部
２３    フラップ部
２５    シール部
２７    エンボス部
２９    包装シート
３１    高温感付与領域
３３    高温感付与溶液
Ｌ    長手方向
Ｗ    幅方向
Ｔ    厚さ方向
Ｆ1    長手方向第１折軸
Ｆ2    長手方向第２折軸
Ｆ3    幅方向第１折軸
Ｆ4    幅方向第２折軸
Ｆ5    幅方向第３折軸
Ｆ6    折軸
【図１】
2019068945.tif 000004
【図２】
2019068945.tif 000005
【図３】
2019068945.tif 000006
【図４】
2019068945.tif 000007
【図５】
2019068945.tif 000008
【図６】
2019068945.tif 000009
【図７】
2019068945.tif 000010
【図８】
2019068945.tif 000011
【図９】
2019068945.tif 000012
【図１０】
2019068945.tif 000013
【図１１】
2019068945.tif 000014